【事件の表示】
　商願２００３−１０９２５０拒絶査定不服審判事件について、次のとおり審決する。
【結　論】
　本件審判の請求は、成り立たない。
【理　由】
第１　本願商標  
　本願商標は、「ＩＲＶＩＮ　ＶＡＬＥＮＴＩＮＯ」の欧文字を横書きしてなり、第２５類「被服，ガーター，靴下止め，ズボンつり，バンド，ベルト，履物，仮装用衣服，運動用特殊衣服，運動用特殊靴」を指定商品として、平成１５年１２月９日登録出願されたものである。  
 　　　　　 　  
第２　原査定の拒絶理由  
　原査定は、「本願商標は、世界的に著名な『Ｖａｌｅｎｔｉｎｏ　Ｇａｒａｖａｎｉ』が商品『紳士・婦人服・革製バッグ・革小物・ベルト』等について使用している、著名な商標『ＶＡＬＥＮＴＩＮＯ』の文字を有してなるから、これを本願指定商品に使用する場合、あたかも前者と何らかの関係があるかのごとく、商品の出所について混同を生じさせるおそれがあるものと認める。したがって、本願商標は、商標法第４条第１項第１５号に該当する。」旨認定、判断し、本願を拒絶したものである。 
 　　　  
第３　当審における証拠調べ通知  
　本願商標が商標法第４条第１項第１５号に該当するか否かについて、当審において証拠調べを行った結果、下記の事実を発見したので、商標法第５６条第１項で準用する特許法第１５０条第５項の規定に基づき、証拠調べの結果を通知し、意見書を提出する相当の期間を指定して、平成１９年６月１４日付けで請求人に通知した。  
 　　　　　　　　　　　　　　　　記 　 
　 
　「ＶＡＬＥＮＴＩＮＯ　ＧＡＲＡＶＡＮＩ／ヴァレンティノ・ガラヴァーニ」「ＶＡＬＥＮＴＩＮＯ　ＧＡＲＡＶＡＮＩ」「ヴァレンティノ・ガラヴァーニ」「Ｖａｌｅｎｔｉｎｏ　Ｇａｒａｖａｎｉ」の他、「ＶＡＬＥＮＴＩＮＯ」「Ｖａｌｅｎｔｉｎｏ」「ヴァレンティノ」「バレンチノ」に関して行った職権による証拠調べによれば、以下の事実が認められる。 
１　辞典類  
（１）「英和商品名辞典」（株式会社研究社、１９９０年第１刷発行、４４７頁）には、「イタリアＲｏｍａのデザイナーＶａｌｅｎｔｉｎｏ　Ｇａｒａｖａｎｉ（１９３２−　）のデザインした婦人・紳士物の衣料品・毛皮・革製バッグ・革小物・ベルト・ネクタイ・アクセサリー・婦人靴・香水・ライター・インテリア用品など．・・・１９６７年にＦｉｒｅｎｚｅで白一色のコレクションを発表してマスコミに大きく取り上げられ、一躍その名を高めた．」の記載がある。  
（２）「岩波＝ケンブリッジ世界人名辞典」（株式会社岩波書店、１９９７年１１月２１日第１刷発行）の「ガラヴァーニ」の項において「ヴァレンティノ Ｇａｒａｖａｎｉ，Ｖａｌｅｎｔｉｎｏ　通称ヴァレンティノ　Ｖａｌｅｎｔｉｎｏ（伊 １９３３−）服飾デザイナー、同じく、「ヴァレンティノ　Ｖａｌｅｎｔｉｎｏ」の項において、「ガラヴァーニ、ヴァレンティノ」を見よとの表示があること。  
（３）「服飾辞典」（文化出版局、昭和６３年９月５日第１０刷発行、付録世界のデザイナー２９及び３０頁）には、「イタリア北部の都市に生まれる。・・・スチリストになるため、パリのサンジカ（パリ高級衣装店組合の学校）で技術を身につける。・・・１９５８年独立、ヴァレンティーノ・クチュールの名でローマに店を開いた。このころ、イタリアのモードは世界的に有名になりつつあった。彼の最初の仕事は、フィレンツェのピッティ宮殿でのコレクションである。このコレクションは、〈白だけの服〉という珍しい演出であったが、その美しさはジャーナリストの間で評判になり、『ニューズ・ウィーク』『ライフ』『タイム』『ウィメンズ・ウェア・デイリー』各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。」の記載がある。  
（４）「ファッション辞典」（文化出版局、２００５年２月１０日第４版第２刷発行、６３７頁）のガラヴァーニ，ヴァレンチノ［Ｖａｌｅｎｔｉｎｏ　Ｇａｒａｖａｎｉ］の項には「１９３２年イタリア生まれ。パリでの修業の後、’６０年にローマに店を開く。’６９年ミラノに初のプレタポルテのブティックを出店。’８９年オートクチュール進出。華麗でエレガントな作品で、世界中の社交界の女性を顧客に持つ。」の記載がある。 
２　書籍、雑誌類  
（１）「メイド・イン・イタリア大図鑑」（昭和５９年６月１日日本交通公社出版事業局発行）において「ヴァレンティノ・ガラヴァーニの語り口には、自信と誇りがあふれている。彼の創造するファッションは世界じゅうで人気を博しているが、彼の貴公子然とした、その美貌もまた有名なところだ。」との記載、及びその経歴等を紹介する内容とともに、オートクチュール・サロン、オートクチュールのロングドレス、コートのほか、「キーホルダー、バッグ、靴、サングラス、ジュエリー」の商品の写真が掲載されていること。 
（２）「世界の一流品大図鑑’８６年版」（発行日不明、講談社発行）において、「ＶＡＬＥＮＴＩＮＯ ＧＡＲＡＶＡＮＩ＼ヴァレンティノ・ガラバーニ（イタリア）」と「スーツ、ジャケット、ブラウス、ポロシャツ、セーター、ブルゾン、靴、ネクタイ、バッグ、財布、ベルト」の写真が掲載されていること。  
（３）「世界の一流品大図鑑’８７年版」（発行日不明、講談社発行）において、「ＶＡＬＥＮＴＩＮＯ ＧＡＲＡＶＡＮＩ＼ヴァレンティノ・ガラバーニ（イタリア）」と「ポロシャツ、ブルゾン、シャツ、スカート、ネクタイ」の写真が掲載されていること。 
（４）「イタリア大図鑑」（１９８７年１１月６日読売新聞社発行）において、「ＶＡＬＥＮＴＩＮＯ ＧＡＲＡＶＡＮＩ＼ヴァレンティノ・ガラヴァーニ」と「婦人服、香水」の写真が、説明文において「ヴァレンティノ」の略称を使用した文章と一緒に掲載されていること。 
（５）「世界の一流品大図鑑’９５年版」（発行日不明、講談社発行）において、「ＶＡＬＥＮＴＩＮＯ ＧＡＲＡＶＡＮＩ＼ヴァレンティノ ガラバ（ヴァ）ーニ（イタリア）」と「婦人服」の写真が掲載されていること。  
（６）「ファッション・ブランド・ベスト１０１」（２００１年１１月２５日株式会社新書館発行）において「ヴァレンティノ　ガラヴァーニ　Ｖａｌｅｎｔｉｎｏ　Ｇａｒａｖａｎｉ」の経歴等を紹介する内容とともに「現在、ブランドはヴァレンティノ（レディス、メンズ）、ヴァレンティノ　ローマ（レディス、メンズ）、ヴァレンティノ　ガラヴァーニ（バッグ、シューズなど）、ヴァレンティノ　ジーンズなどのラインを展開。」と掲載されていること。  
（７）「イタリアン・ファッションの現在」（２００５年３月３０日株式会社学文社発行）において「ヴァレンティーノ・ガラヴァーニ［Ｖａｌｅｎｔｉｎｏ　Ｇａｒａｖａｎｉ］は、パリのジャン・デセ［Ｊｅａｎ　Ｄｅｓｓｅｓ］やギー・ラロッシュ［Ｇｕｙ　Ｌａｒｏｃｈｅ］での修行後、１９５９年にローマのコンドッティ通りに最初のアトリエを構えた。また、しばらくしてミラノでもアルタ・モーダのデザイナーの多くが活動しはじめ、そのなかにはジョレ・ヴェネツィアーニ［Ｊｏｌｅ　Ｖｅｎｅｚｉａｎｉ］もいて、彼はスカラ座のプリマやマリヤ・カラスの衣装担当を務め、『ライフ』や『ビギ』などの表紙に登場するなど国際的な評価を得ていた。」、「・・・イタリアでもっとも広く視聴されている番組−娯楽ニュース番組『ストゥリッシア・ラ・ノティーツイア［Ｓｔｒｉｓｃｉａ　ｌａ　Ｎｏｔｉｚｉａ］』−に登場する個性ある人物たちをみればわかる。同番組では、ヴァレンティーノ［Ｖａｌｅｎｔｉｎｏ］−１９５９年ローマのファッションショーでデビューして以来、ファッション界の”伝道者”であり、また風刺対象の”王者”であるデザイナー−の絶妙な物まねが登場する」と掲載されていること。 
（８）「世界のスターデザイナー４３」（２００５年１２月１５日株式会社未來社発行）において「ヴァレンティノ・ガラヴァーニ」について、「ファッション界にも、スーパースターがいる。ジョン・ガリアーノやトム・フォードをあげる人もいるに違いない。イブ・サンローランも、確かにそうだった。しかし、ヴァレンティノのように移ろいやすいファッションの世界で、４０年以上スーパースターであり続けている人はほかにいない。」と掲載されていること。 
（９）「よくわかるアパレル業界［改訂版］」（２００６年１月２０日株式会社日本実業出版社発行）において「ヴァレンティノ／Ｖａｌｅｎｔｉｎｏ」の項で「ヴァレンティノ・ブティック・ジャパン〜ヴァレンティノ・ガラヴァーニがデザイン、パリコレクションに参加している。ヴァレンティノ・レッドと呼ばれる赤などの鮮やかな色を使った大胆でエレガントな作風が特徴。」と掲載されていること。 
（10）「ｍａｒｉｅ　ｃｌａｉｒｅ　ｊａｐｏｎ＼マリ・クレール日本版」（１９８９年１２月号中央公論社発行）において、「ヴァレンティノ・ガラヴァーニ」と「婦人服」の写真が掲載されていること。  
（11）「毎日グラフ」（１９９１年８月４日発行）において、ヴァレンティノの東京でのコレクション・ショーの記事と写真が「ヴァレンティノ」の略称を使用した文章と一緒に掲載されていること。 
（12）「ｍａｒｉｅ　ｃｌａｉｒｅ　ｊａｐｏｎ＼マリ・クレール」（１９９１年９月号発行）において、「ヴァレンチノ・ガラバーニ」について「ヴァレンチノ」の略称を使用して記載した記事と写真が掲載されていること。
（13）「家庭画報 １９９１年１２月号発行」（１９９１年１２月１日発行）において、「…ヴァレンティノがファッション界にデビューして３０年。その偉業を称えて彼の生地ローマでは街をあげての大祝賀パーティーが催されました…」 と掲載されていること。 
（14）「ｍａｒｉｅ　ｃｌａｉｒｅ　ｊａｐｏｎ＼マリ・クレール」（１９９２年１１月号発行）において、「そしてまたひとつ、新しい話題を呼びそうなスポットが誕生したが、こちらは昔ながらの代官山にふさわしい、大人のための空間である。八幡通りに面して、品格のあるたたずまいを見せる『サンローゼ代官山』だ。この一階にヴァレンティノ・ガラヴァーニの洒落たブッティックがオープンした…もっと身近にヴァレンティノのスタイルを取り入れたい、と思っている人には見逃せないブッティックとなるだろう。」と掲載されていること。 
（15）「毎日グラフ」（１９９２年１１月１日発行）において、ヴァレンティノの’９２〜’９３秋冬コレクション。「時の予感―ファッションの未来へ」と題された３日間にわたるイベントの記事と写真が掲載されていること。 
（16）「ｍａｒｉｅ　ｃｌａｉｒｅ　ｊａｐｏｎ＼マリ・クレール」（１９９６年２月号中央公論社発行）において、「ヴァレンティノ・ガラヴァーニ」について「ヴァレンティノ」、「Ｖａｌｅｎｔｉｎｏ」の略称を使用して記載した記事と写真及び婦人服の写真が掲載されていること。
（17）「ｍａｒｉｅ　ｃｌａｉｒｅ　ｊａｐｏｎ＼マリ・クレール」（１９９６年９月号発行）において、「ヴァレンティノ」「ＶＡＬＥＮＴＩＮＯ」の見出しで「ヴァレンティノ・ガラバーニ」の記事と写真及びヴァレンティノの’９６〜’９７秋冬・プレタポルテ・コレクションの写真が掲載されていること。 
（18）「暮しの手帖６６」（１９９７年２・３月号発行）において、「ヴァレンティノ・ガラバーニ」の記事と「Ｖａｌｅｎｔｉｎｏ」と婦人服の写真が掲載されていること。  
（19）「家庭画報」（１９９７年４月号発行）において、「ヴァレンティノ」と「ＶＡＬＥＮＴＩＮＯ」の婦人服、スーツの写真が掲載されていること。 
（20）「家庭画報」（１９９７年１１月号発行）において、「ヴァレンティノ」の婦人服、スーツの写真が掲載されていること。 
（21）「ｍａｒｉｅ　ｃｌａｉｒｅ＼マリ・クレールｊａｐｏｎ」（１９９８年４月号中央公論社発行）において、「ヴァレンティノ」「ＶＡＬＥＮＴＩＮＯ」の’９８年春夏パリ・オートクチュール・コレクションの写真が掲載されていること。 
（22）「ｍａｒｉｅ　ｃｌａｉｒｅ＼マリ・クレールｊａｐｏｎ」（１９９８年１１月号発行）において、「ヴァレンティノ＼Ｖａｌｅｎｔｉｎｏ」の見出しで、「ヴァレンティノ」の記事と’９８―’９９秋冬ヴァレンティノ　オートクチュール＼コレクションの写真が掲載されていること。 
（23）「週刊読売」（平成１０年１１月２２日発行）において、「ヴァレンティノ」の見出しで「ヴァレンティノ・ガラヴァーニ」の記事と写真が掲載されていること。 
（24）「ｍａｒｉｅ　ｃｌａｉｒｅ＼マリ・クレールｊａｐｏｎ」（１９９９年１月号中央公論社発行）において、「クチュリエの最高峰と呼ばれ、エレガントなパリ・モードの世界を創造し続けるヴァレンティノ・ガラヴァーニ。その華やかなコレクションがフルラインアップされたブティックがこの秋、横浜に登場した。」と掲載されていること。 
（25）「家庭画報」（１９９９年４月号発行）において、「ヴァレンティノ」の婦人服の写真が掲載されていること。 
（26）「ｍａｒｉｅ　ｃｌａｉｒｅ＼マリ・クレールｊａｐｏｎ」（１９９９年８月号発行）において、「ヴァレンティノ」のベルトの写真が掲載されていること。 
（27）「家庭画報」（２０００年４月号世界文化社発行）において、「ヴァレンティノ」の婦人服及びバッグの写真が掲載されていること。 
（28）「ニューズウィーク日本版」（２００１年４月１８日ＴＢＳブリタニカ発行）において、「四〇年間にわたり、ファッション界をリードし続けてきたデザイナー、バレンチノ・ガラバーニ。ジャクリーン・ケネディ・オナシスやオードリー・ヘプバーンなど二〇世紀のスタイルを象徴する人々に服を提供してきた彼は、洗練されたデザインの規範をつくり上げてきた。」の記事と写真が掲載されていること。 
（29）「ハーパース・バザー」（２００１年１１月号エイチビー・ジャパン株式会社発行）において、「ヴァレンティノ」の記事と婦人服及びバッグの写真が掲載されていること。 
（30）「婦人画報　２００２年３月号」（２００２年３月１日発行）において、「ヴァレンティノ」の婦人服の写真が掲載されていること。 
（31）「ハーパース・バザー日本版　２００３年６月号」（２００３年６月１日発行）において、「Ｖａｌｅｎｔｉｎｏ」「ヴァレンティノ」の見出しで「ヴァレンティノ・ガラヴァーニ」の記事と写真が掲載されていること。（32）「家庭画報　２００４年１月号」（２００４年１月１日発行）において、「ヴァレンティノ・ガラバーニ」の記事と写真が掲載されていること。
（33）「婦人公論」（２００４年６月２２日発行）において、「ＶＡＬＥＮＴＩＮＯ」「ヴァレンティノ」 の婦人服の写真が掲載されていること。 
（34）「婦人公論」（２００５年４月７日発行）において、「ヴァレンティノ」 の婦人服の写真が掲載されていること。 
（35）「ヴァンサンカン 25ans 1994年4月号」(1994年4月1日婦人画報社発行)において、「手の込んだディテールで勝負する「ヴァレンティノガラヴァーニ」」の見出しの下「満足な着心地で、ディテールの手の込みようはプレタ・ラインであってもオートクチュール並みの完成度、それがヴァレンティノ・ガラヴァーニです。」との記載及び商品として「イヤリング（２点共）ヴァレンティノ　ガラヴァーニ／ヴァレンティノブティックジャパン」が掲載されていること。 
３　新聞記事 
（１）「繊研新聞」(昭和51年9月28日付)において「ヴァレンティノ秋冬ショー」の見出し記事が掲載されていること。  
（２）「センイ・ジャァナル」(昭和51年9月29日付)において「ヴァレンティノ・コレクション」との見出しの下「…この秋のバレンティノの個性を強調したものと見うけられた。…」との記事が掲載されていること。  
（３）「読売新聞大阪版」(昭和51年9月30日付)において「ヴァレンティノのショーから」との見出しの下「イタリア服飾界の鬼才といわれるヴァレンティノ・ガラバーニの７６秋冬コレクションが、このほど大阪ロイヤルホテルで開かれた。」との記事が掲載されていること。 
（４）「朝日新聞」(昭和51年9月30日付、同年10月2日付及び同月5日付)において「バレンティノ・ショー」との見出しの下「…かつて、白一色だけのショーを開き、注目を浴びたバレンティノが…」、「…もっともバレンティノにいわせると…」との記事が掲載されていること。  
（５）「秋田さきがけ新聞」(昭和51年9月30日付)において「見事な色と素材／バレンチノ作品展から／エレガンスを創造」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。 
（６）「河北新報」(昭和51年10月1日付)において「バレンチノのトータルファッション／鮮やかな赤と黒／エレガンスな世界を創造」との見出しの下「バレンチノ・ガラバーニ、イタリア・オートクチュールをリードする鬼才。」との記事が掲載されていること。 
（７）「センイ・ジャァナル」(昭和51年10月1日付)において「(東京)イタリアのデザイナーヴァレンティノの…」との記事が掲載されていること。
（８）「日刊ゲンダイ」(昭和51年10月2日付)において「ヴァレンティノ・コレクション発表」との見出しの下「このほどそのイタリアンファッション界の鬼才と評されているヴァレンティノ・ガラバーニ氏のパリ。ローマでかっさいをあびたというコレクションの発表会が東京、大阪で開催され、そのオリエンタル風なデザイン感覚は、われわれ日本人の心を魅了した。」との記事が掲載されていること。 
（９）「東奥日報」(昭和51年10月4日付)において「見事な色と素材／バレンチノの作品群」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。 
（10）「山陰中央新報」(昭和51年10月4日付)において「本物のエレガンスを創造」との見出しの下「…惜しみなく絶賛！を贈れるバレンチノだった。…」との記事が掲載されていること。 
（11）「サンケイ新聞」(昭和51年10月5日付)において「ヴァレンティノ・コレクション」との見出しの下「イタリアン・ファッションを代表するデザイナー、ヴァレンティノ・ガラバーニ氏の秋冬コレクション。」との記事が掲載されていること。 
（12）「宮崎日日新聞」(昭和51年10月5日付)において「超一級の色と素材／見事なバレンチノ作品」との見出し記事が掲載されていること。 
（13）「日経産業新聞」(昭和51年10月6日付)において「伊の鬼才ヴァレンティノ　これが７６年秋冬の新作　機能性と女らしさの融合」との見出し記事が掲載されていること。 
（14）「福島民友新聞」(昭和51年10月6日付)において「バレンチノの芸術」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。 
（15）「日経流通新聞」(昭和51年10月7日付)において「来春からインテリア小物も　ヴァレンティノ・ブティック・ジャパン」との見出しの下「ヴァレンティノ・ガラバーニの極東地区総代理権をもつヴァレンティノ・ブティック・ジャパン（本社東京）は来春からヴァレンティノブランドのインテリア小物を売り出す。」との記事が掲載されていること。 
（16）「徳島新聞」(昭和51年10月12日付)において「見事な色と素材／バレンチノの作品群から」との見出しの下「バレンチノ・ガラバーニ、イタリア・オートクチュールをリードする鬼才。」との記事が掲載されていること。
（17）「公明新聞」(昭和51年10月14日付)において「無地が売り物のヴァレンティノ」との見出しの下「このほど伝統を誇る欧州イタリアのヴァレンティノの秋冬物が公開されました。」との記事及び写真に付された「ヴァレンティノのスポーティー・ルック」との記事が掲載されていること。 
（18）「夕刊フクニチ」(昭和51年10月18日付)において「すばらしい色と素材／バレンチノの秋冬新作」との見出し記事が掲載されていること。 
（19）「千葉日報」(昭和51年11月3日付)において「みごとな色と素材／ファッション／バレンチノの作品群」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。  
（20）「報知新聞」(平成3年7月29日付)において「リズの花嫁衣装はバレンチノ」との見出しの下「…イタリアの有名デザイナー，バレンチノが作ることになった。…」等との記事が掲載されていること。  
（21）読売新聞東京朝刊（１９９０年６月３０日付）において「この冬、毛皮が変わる　暖冬時代に即して毛あし短く布地感覚」との見出しの下「…自然の毛皮の色にこだわらず、さまざまな色やデザインのプリントをしているのも大きな特徴。染色技術の進歩で、ペーズリーを思わせるプリント柄や、はやりのアースカラーを濃淡をつけて並べたものなどが続々登場。これほど複雑なプリントは、今まで見られなかったものだ。デザインは、バレンチノ・ガラバーニ、ジャンフランコ・フェレなど、海外の著名デザイナーを起用。布地と同じようにファッション性を高めている。…」 との記事が掲載されていること。 
（22）読売新聞東京朝刊（１９９０年７月２２日付）において「［ＪＵＳＴ　ＦＩＴ］ヴァレンティノ・ガラヴァーニ　“イタリアの遺産”再生」との見出しの下「…『高級であること、美しくあること』にこだわり続けるイタリアのトップ・デザイナー、ヴァレンティノ・ガラヴァーニ。２７歳でデビューしてから３０年の歳月が流れたが、華麗でざん新なファッションは、衰えるどころか、新作発表の度にみずみずしさを増している。今シーズン、ヴァレンティノの心を捕らえた『美しいもの』はエトルリア美術。ギリシャ文明の流れをくむイタリアの『遺産』を長めのニットに大胆にプリントし、ボトムには軽快なミニのプリーツスカートを組み合わせる。…」 との記事が掲載されていること。 
（23）毎日新聞東京夕刊（１９９１年３月２９日付）において「［ウイーク・エンド・ストリート］ＶＡＬＥＮＴＩＮＯ　ＧＡＲＡＶＡＮＩ」との見出しの下「…東京・赤坂のニューオータニアベニューはスペースをゆったりと取った、エレガントなブティックが建ち並び、大人の高級ショッピングストリートとして最近注目を集めています。・・・ここの１階正面に世界中でも２番目に大きなヴァレンティノ　ブティックがオープンしました。女性物と男性物、すべてインポートの豊富な品ぞろえが自慢です。１８０坪のぜいたくな店内、３坪の広さの試着室など、ゆったりとショッピングが楽しめます。商品は高級感あふれるものから若々しいカジュアル、パーティードレス、靴やバッグ、アクセサリーも充実しています。このブティックで限定販売の香水『ヴァレンティノ　フレグランス』も見逃せません。★ヴァレンティノ　ガラヴァーニ　ブティック　東京都千代田区紀尾井町４−１　ホテルニューオータニ　サンローゼ赤坂ガーデンコート１Ｆ…」との記事が掲載されていること。 
（24）読売新聞東京朝刊（１９９１年４月７日付）において「［ＪＵＳＴ　ＦＩＴ］ヴァレンティノ・ガラヴァーニ　職人芸にますます磨き」との見出しの下「…『シックな装い』を永遠のテーマに、甘く優しい女性の服を作り続けるベテラン、ヴァレンティノ・ガラヴァーニ。今春デザイナー生活３０周年を迎え、精巧で繊細な職人芸にますます磨きがかかってきた。シンプルな黒のミニドレス。体のラインにそったシルエットが、ウエストで結んだピンクのリボンを境に広がり、柔らかなフレアースカートに変化する。肩をあらわにしているが、セクシーさより、むしろ清そな雰囲気が漂っている。…」 との記事が掲載されていること。 
（25）読売新聞大阪朝刊（１９９２年２月６日付）において「バレンチノやコシノが参加／大阪コレクション」との見出しの下「…社団法人トータルファッション協会（ＡＴＦ、春名和雄会長）は五日、三月三十一日と四月一日に大阪市中央区のマイドームおおさかで開く『ワールド・ファッション・コレクション』のデザイナーを発表した。大阪とミラノの姉妹都市提携十周年を記念して、『ＯＳＡＫＡ−ＩＴＡＬＹ実力派デザイナーたちのＮＥＷエナジー』がテーマ。日本のコシノ・ヒロコさんとイタリアのバレンチノ・ガラバーニ氏、さらにフェンディファミリーから女性デザイナー三人が参加し、九二年秋冬物の最新コレクションを発表する。…」 との記事が掲載されていること。 
（26）朝日新聞大阪朝刊（１９９２年３月３日付）において「ファッション関係の合同見本市を開催　３日から大阪・南港で【大阪】」との見出しの下「…このほかコシノヒロコやイタリアのバレンチノ・ガラバーニなどのファッションショーが、ワールド・ファッション・コレクションとして、３１日から２日間、大阪市のマイドームおおさかで行われる。…」 との記事が掲載されていること。 
（27）毎日新聞大阪朝刊（１９９２年４月１日付）において「ワールド・ファッション・コレクション　一流ブランドの秋冬コレクションを紹介」との見出しの下「…『ワールド・ファッション・コレクション』（トータルファッション協会主催）が３１日、大阪市中央区のマイドームおおさかで開かれた＝写真。大阪・ミラノ姉妹都市提携１０周年を記念して、イタリアのバレンチノ・ガラバーニの『オリバー』、フェンディーの『フェンディシメ』など一流ブランドの秋冬コレクションが紹介された。…」 との記事が掲載されていること。 
（28）読売新聞大阪朝刊（１９９２年４月４日付）において「手ごろな価格セカンドブランド　ミラノ・ファッション・ショーで紹介／大阪」との見出しの下「…高級ブランドのイメージを残しながら価格は親ブランドに比べてぐっと手ごろな『セカンドブランド』を紹介するファッション・ショーが大阪市内で開かれた。トータルファッション協会が大阪・ミラノ姉妹都市提携十周年を記念して、フェンディの若者向けブランド『フェンディシメ』とバレンチノ・ガラバーニの『オリバー』を紹介した。世界的な景気の後退で高級品の売れ行きが鈍っているため、これまで富裕なマダム層を顧客にしてきた高級ブランドも買いやすい価格帯のセカンドブランドの開発に力を入れ始めている。…」 との記事が掲載されていること。 
（29）流通サービス新聞（１９９３年２月２日付）において「三喜商事、９３春夏『ヴァレンティノ・ガラヴァーニ・アトリエ』コレクション」との見出しの下「輸入商社の三喜商事（東京都千代田区三番町６の５、社長堀田康彦氏、電０３・３２３８・１３８１）は全国４都市で、イタリアのデザイナー、ヴァレンティノ・ガラヴァーニ氏のレディーステキスタイル（服地）ブランド『ヴァレンティノ・ガラヴァーニ・アトリエ』の９３年春夏シーズンのフロアショーを開催した。『アトリエ』はテキスタイルに具体的なデザインイラストを付ける販売方法を取っている。同フロアショーは、そのデザインイラストを再現したコレクションで、春夏・秋冬の年２回、オーダーメード専門店や百貨店などの取引先を招いて開催している。ヴァレンティノ・ガラヴァーニ氏のテキスタイルブランドは、『アルタモーダ』、『ミスＶ』と『アトリエ』の三ブランドあり、すべて三喜商事が輸入販売している。…」 との記事が掲載されていること。 
（30）流通サービス新聞（１９９７年１月１４日付）において「ホテルＣＳ戦略・パートＩＩ／ホテルニューオータニ−会員専用センター開設」との見出しの下「…ニューオータニのショッピング街にはヴァレンティノ・ガラバーニやジョルジオ・アルマーニなど内外有名ブランドショップが五十店ある。…」との記事が掲載されていること。 
（31）日刊工業新聞（１９９７年４月３０日付）において「富士紡績、製品事業を拡大。男性下着を拡販、レディース向けも増産」との見出しの下「…富士紡績は製品事業を拡大する。九七年三月期二百億円の売上高を二ケタ成長の二百二十億円超にする。具体的には主力の男性下着『Ｂ・Ｖ・Ｄ』の高付加価値シリーズ『ボディギア』を拡販する。加えて三月に発売したレディース向けを増産する。一方、頭打ちとなっているアウターウエアではブランドビジネスを再構築し、企画から製造、販売までの一貫化を目指した展開を図る。富士紡績の製品事業はＢ・Ｖ・Ｄを中心とするインナーウエアが六割、バレンチノ・ガラバーニのジーンズやスポーツ、カジュアルなどアウターウエアが四割の構成となっている。…」 との記事が掲載されていること。 
（32）読売新聞東京朝刊（１９９８年２月３日付）において「９８春夏パリコレオートクチュール　『豪華さ』世代で対照的（寄稿）」との見出しの下「…ヴァレンティノも、新しい社屋でサロン形式のショーを開いた。デザイナーのヴァレンティノ・ガラバーニは、昼の服にはワンピースのひだ奥にさりげなくビーズを施し、夜のドレスには、セミの羽のように薄い布にクモの巣をはりめぐらしたようなビーズのドレスを見せてくれた。かなりの重さだろうが、見た目にはとても軽やかなのは、高度な技術の結晶なのだろう。間近で見るからこそ、すばらしさがよくわかる。…」との記事が掲載されていること。 
（33）繊研新聞（１９９８年３月１６日付）において「【ファッショングッズ】福井・鯖江眼鏡産地　ブランド事業に新しい流れ」との見出しの下「…シャルマン（本社鯖江市、堀川馨社長）は国内外に販路を拡大し、グループ年商が四百六十億円。『ヴァレンティノ・ガラバーニ』『ケンゾー』『エスプリ』など十六ブランドを販売している。…」との記事が掲載されていること。 
（34）日刊スポーツ新聞（２０００年３月３日付）において「連載　パリコレ短信（５）原点に返った『バレンチノ』」との見出しの下「…バレンチノ　１９３２年イタリア生まれのバレンチノ・ガラバーニ氏が６０年にスタート。故ジャクリーヌ・ケネディさんがオナシス氏との結婚式で着たレースのミニドレスは世界中の雑誌の表紙に取り上げられた。同氏はエリザベス・テーラーと親友で、９１年、リズが８回目の挙式で着たウエディングドレスを制作した。『Ｖ』のブランドロゴでおなじみ。…」との記事が掲載されていること。 
（35）繊研新聞（２００２年２月２０日付）において「高島屋　大阪店に最大級の特選ゾーン開設、新規に２０ブランド」との見出しの下「…高島屋大阪店は三月一日サウスタワーホテル内に、二十のインポートブランド（ブティック）で構成する『サロン・ル・シック・サウスタワー』を開設する。売り場面積は千五百平方メートル、初年度約十四億円の売上高を計画している。…パート３では、『シャネル』をはじめ、『セリーヌ』『ダンヒル』『ヴァレンティノ・ガラヴァーニ』など十四ブランド。…」 との記事が掲載されていること。 
４　インターネット情報（２００７年５月にインターネット検索を実施した。） 
（１）「Ｖａｌｅｎｔｉｎｏ　Ｇａｒａｂａｎｉ　 ヴァレンティノ・ガラヴァーニ　解説・歴史 　ヴァレンティノ・ガラヴァーニは1933年、北イタリアのヴォゲラ生まれ。パリ・オートクチュール組合学校で学んだ後、ジャン・デッセ、ギ・ラロッシュのアシスタントとして約10年働いた後、1959年独立。ローマにオートクチュールの店を開く。60年に最初のコレクションを発表。62年フィレンツェのピッティ宮殿で開かれた『白だけの服』が注目を集め一躍国際的に知られることとなる。…2001年春夏からディヒュージョンライン『ヴァレンティノ　ローマ』を発表。ヴァレンティノのデザインの原点となっているローマをネーミングし、ヴァレンティノらしい優雅で洗練された世界に加え、若さあふれるコレクションとなっている。 …　ショップリスト　　旗艦店　　サンローゼ赤坂　東京都千代田区紀尾井町4-1 ホテルニューオータニ・サンローゼ赤坂　TEL 03-3261-9156　　インショップ　札幌三越5F特選サロン　札幌市中央区南一条西3-8　TEL 011-222-6888／　インペリアルプラザ　東京東京都千代田区内幸町1-1-1 インペリアルプラザ2F　TEL 03-3501-7070／　新宿伊勢丹3F　東京都新宿区新宿3-14-1　TEL 03-3354-5303／　日本橋三越3F　東京都中央区日本橋室町1-4-1　TEL 03-3276-0636／　日本橋高島屋4F　東京都中央区日本橋2-4-1　TEL 03-3281-1751／　渋谷西武A館7F　東京都渋谷区宇田川町21-1　TEL 03-3462-3549／　池袋西武6F　東京都豊島区南池袋1-28-1　TEL 03-3987-5739／　銀座松屋4F　東京都中央区銀座3-6-1　TEL 03-3567-5025／　小田急百貨店6F　東京都新宿区西新宿1-1-3　TEL 03-5325-2437／　東急百貨店本店3F　東京都渋谷区道玄坂2-24-1　TEL 03-3477-3584／　玉川高島屋SC店　東京都世田谷区玉川3-17-1　TEL 03-5717-6672／　名古屋店　名古屋市中区錦3-6-29 サウスハウス 1F　TEL 052-955-8550／　京都高島屋2F　京都市下京区四条河原町西入間町52　TEL 075-255-0920／　ジェイアール京都伊勢丹3F　京都市下京区烏丸通塩小路下る東塩小路町533-6　TEL 075-352-6286／　梅田阪急4F　大阪市北区角田町8-7　TEL 06-6361-1446／　リーガロイヤルホテルタカシマヤ　大阪市北区中ノ島5-3-68　TEL 06-6448-4721／　大阪高島屋サロン・ル・シックサウスタワー5F　大阪市中央区難波5-1-60 南海サウスタワーホテル大阪　TEL 06-6646-5174／　大丸神戸店　神戸市中央区播磨町29　TEL 078-391-1644／　福屋八丁堀本店3F　広島市中区胡町6-26　TEL 082-246-6152／　松山三越3F　愛媛県松山市一番町3-1-1　TEL 089-934-8064／　タカシマヤサンローゼ博多2F　福岡市中央区渡辺通1-1-2　TEL 092-726-6000  （http://www.fashion-st.net/link/val.html） 
（２）「ファッション用語集◆1000◆　…　・ヴァレンティノ・ガラヴァーニ　【Ｖａｌｅｎｔｉｎｏ　Ｇａｒａｖａｎｉ】〔1933〜.イタリア;ヴォゲラ〕パリ・クチュール組合学校卒業後、ジャン・デッセ、ギ・ラロッシュのもとで修行を積み、'59年に独立しました。ローマにオート・クチュール・メゾンを構えて、'60年には初のコレクションを発表してました。'62に発表された「白だけの服」と名付けられた“白一色”のコレクションは意表をつく演出で大成功をおさめ、〈ヴァレンティノ〉の名を国際的に知らしめるものとなりました。良質の素材からつくり出される洗練されたエレガンスは、シンプルな中にも優雅や女性らしさを兼ね備え、多くの女性達の支持を受けているます。（「受けています。」の誤記と認められる。）（http://www.wamasa.com/fash/2005/09/post_99.html） 
（３）「Ｖａｌｅｎｔｉｎｏ 1932年、ヴォゲラ（イタリア）の生まれ。本名ヴァレンティノ・ガラヴァーニ。エレガントなイヴニングドレスやクラシックなデザインで、40年以上もファッション界のトップに君臨してきた。子どものころからファッションや絵画、建築などに興味を持っていた。ミラノでファッション・デザインとフランス語を学び、ファッションを勉強するためにパリへ渡る。学生時代にIWS（国際羊毛事務局）で高い評価を得たことがきっかけで、50年からジャン・デッセの下で働くことになった。５年間後、『ギ・ラロッシュ』に移籍し、60年には自身のブランドを立ち上げた。初のコレクションはローマで発表、撮影で当地を訪れていたエリザベス・テイラーの目に止まったことで、彼のサクセス・ストーリーが始まった。　…　60年代を代表するデザイナーのひとりとなったヴァレンティノは、ミニスカート全盛のトレンドに逆らって、床まで届くロングスカートにこだわった。テーマ・カラーの「ヴァレンティノ・レッド」や白黒のシンプルなコントラストも永遠のものだ。」（http://www.vogue.co.jp/people/valentino.html） 
（４）「Ｖａｌｅｎｔｉｎｏ　ＧＡＲＡＶＡＮＩ ヴァレンティノ・ガラヴァーニ　　ブランドネクタイの中でも、ラインアップの多様さ・贅沢な材質を惜しみなく使った贅沢さで定評あるヴァレンティノ。生地のボリュームに滑らかな質感と、どれをとっても一級品のネクタイばかり。カジュアルなものから、フォーマルなものまで幅広く取り揃えました。豪華でありながらもさりげないデザインは、貴方のスーツ姿をシャープに、かつ美しく演出いたします。」（http://www.e-necktie.jp/necktie/valentino/index.html） 
（５）「ＶＡＬＥＮＴＩＮＯ　　…　夏の白昼夢、憧れのヴァレンティノ　どこまでも洗練されたモダンクラシックの世界を追い求めるヴァレンティノ・ガラヴァーニ。その美意識が織りなすエレガントで知的なスタイル、特別な時間への憧れ、贅沢なリラックスをあなたへ。　　…　ヴァレンティノ・ガラヴァーニ　精練されたモダンクラシックの世界を。ヴァレンティノ【玄関マット　ジェネローソFH1861】68×120cm 15,750円 税込　送料込　…　ヴァレンティノ・ガラヴァーニ　精練されたモダンクラシックの世界を。　ヴァレンティノ【ジェネローソ　リビングシート　LN1801】45×45cm 　5,145 円 税込　送料別 　　…　　ヴァレンティノ・ガラヴァーニ　精練されたモダンクラシックの世界を。　ヴァレンティノ【エスティーヴォ　フロアークッション　LL1808】55×55cm 　 8,190 円 税込 送料別…　」（http://item.rakuten.co.jp/neore/c/0000000424/） 
（６）「ＶＡＬＥＮＴＩＮＯ　　ホテルニューオータニ博多店 ファッションの世界最高峰であるヴァレンティノ・ガラヴァーニのワンブランドショップ。福岡で３０年以上に渡り毎シーズンのコレクションをご紹介して参りました。 九州で唯一のブティック。婦人を中心に、紳士の単品も揃えてあります。 福岡市中央区渡辺通り１丁目１−２ ホテルニューオータニ博多サンローゼ２階 」（http://www.horaya.co.jp/file/boutiques.html） 
（７）「ヴァレンティノ 銀座が'05年12月2日（金）、オープン　…　オートクチュールメゾンの最高峰として知られる、イタリアの名門ブランド『ヴァレンティノ』。ハイパーラグジュアリーな素材を惜しみなく用い、シンプルななかにも優雅さ、極上のエレガンスを醸し出すデザインはジェニファー・ロペス、ペネロペ・クルス、ジュリア・ロバーツなど世界のセレブリティに愛され、時代を超えて世界中の女性たちを虜にし続けている。その『ヴァレンティノ』が'05年12月2日（金）、銀座・並木通りに新しいブティックをオープンした。　…　1階にはアクセサリーライン『ヴァレンティノ ガラヴァーニ』のバッグ、シューズなど小物が揃う…　」（http://www.elle.co.jp/home/fashion/news/bd/?news=05_1202） 
（８）「ＶＡＬＥＮＴＩＮＯ ヴァレンティノ　…　ジャクリーヌ・ケネディ、エリザベス・テイラー、ブルック・シールズ、ジナ・ロロブリジータ、モニカ・ヴィッティ、ロスチャイルド、モナコのカトリーヌ大妃、イギリスのダイアナ妃など、世界のトップレディーを魅了してきたクチュリエの最高峰。ヨーロッパをはじめとする世界の社交界では憧れの的となっているヴァレンティノは、名実ともに『世界のトップ・デザイナー』として君臨している。北イタリアのヴォゲラ生まれ。その輝かしいキャリアは1959年、ローマのアトリエハウスからはじまった。1967年にはファッション界のオスカーとして多くの憧憬を集める『ニーマン・マーカス賞』を受賞。翌1968年のホワイトコレクションにより世界の注目を浴びた。その才能を誰よりも早く認識したアメリカのファッション プレスは、ヴァレンティノを『真実の新発見』と絶賛する。またこのコレクションで彼は初めて、『勝利の象徴である“Ｖ”』を自分のマークとして採用。２大雑誌『ＴＩＭＥ』『ＬＩＦＥ』の表紙を飾り、『キング・オブ・デザイナー』の地位を確立した。 　…　さらに2000年、CFDA（アメリカ ファッションデザイナーズ協会）より生涯功労賞が贈られた。このように数々の賞によって証明されてきたヴァレンティノの類いまれなる創造性は、今後もさらに輝きを増し、高まっていくにちがいない。」（http://www.vbj.co.jp/history/index.html） 
５　以上の事実によれば、「ＶＡＬＥＮＴＩＮＯ」の表示は，本願商標の出願日の当時、ヴァレンティノ・ガラヴァーニ又はそのデザインに係る商品群に使用されるブランドの略称を表すものとして、我が国の取引者及び需要者の間に広く認識されており、その状態が現在においても継続していると認められる。  
　　　
第４　請求人（出願人））は、上記第３の証拠調べ通知に対し、所定の期間を経過するも何らの応答もない。　  
 　　　　 
第５　当審の判断  
１　上記第３の証拠調べのとおり、「ＶＡＬＥＮＴＩＮＯ　ＧＡＲＡＶＡＮＩ／ヴァレンティノ・ガラヴァーニ」「ＶＡＬＥＮＴＩＮＯ　ＧＡＲＡＶＡＮＩ」「ヴァレンティノ・ガラヴァーニ」「Ｖａｌｅｎｔｉｎｏ　Ｇａｒａｖａｎｉ」は、国際的なトップデザイナーとして、本願商標の登録出願時には既に、我が国において著名であったものと認められる。また、同氏の名前は、「Ｖａｌｅｎｔｉｎｏ　Ｇａｒａｖａｎｉ」（ＶＡＬＥＮＴＩＮＯ　ＧＡＲＡＶＡＮＩ）「ヴァレンティノ　ガラヴァーニ」とフルネームで表示され、このフルネームをもって紹介されることも多いが、同時に辞書類、新聞、雑誌等に掲載された中には、単に「Ｖａｌｅｎｔｉｎｏ」（ＶＡＬＥＮＴＩＮＯ）「ヴァレンティノ」と略して採り上げられており、ファッション関連分野に関して「Ｖａｌｅｎｔｉｎｏ」（ＶＡＬＥＮＴＩＮＯ）「ヴァレンティノ」といえば同氏を指すものと広く認識されるに至っているというべきである。そして、同氏がデザインした婦人服、紳士服、アクセサリー、バック類、インテリア用品等のファッション関連商品は、「Ｖａｌｅｎｔｉｎｏ　Ｇａｒａｖａｎｉ」（ＶＡＬＥＮＴＩＮＯ　ＧＡＲＡＶＡＮＩ）「ヴァレンティノ　ガラヴァーニ」及びその略称として「Ｖａｌｅｎｔｉｎｏ」（ＶＡＬＥＮＴＩＮＯ）「ヴァレンティノ」の商標をもって我が国の取引者、需要者の間に広く知られていたというべきであり、このことは、少なくとも本願商標の登録出願時である平成１５年１２月９日前において既に我が国の取引者、需要者間に広く認識せられていたものであり、また、その状況は現在に至るまで継続しているものとみて差し支えないものである。  
２　しかして、本願商標は「ＩＲＶＩＮ　ＶＡＬＥＮＴＩＮＯ」の文字を書してなるところ、「ＩＲＶＩＮ」と「ＶＡＬＥＮＴＩＮＯ」と間に約１字程度の間隔を置いてなるものであり、かつ、両文字部分は視覚上分離して看取し得るばかりか、これより生ずる全体の称呼も比較的冗長に亘るものと言える。更に、該文字全体を以て親しまれた観念を生ずるとも認められない。  
　加えて、「ＶＡＬＥＮＴＩＮＯ　ＧＡＲＡＶＡＮＩ」の略称「ＶＡＬＥＮＴＩＮＯ」は、「婦人服，紳士服，アクセサリー，バッグ」等に使用して、本願商標の登録出願前より、取引者、需要者の間でデザイナーブランドとして広く一般に認識されており、かつ、これらの商品と本願商標の指定商品中、「被服、ガータ、靴下止め、ズボンつり、バンド」等の商品とは密接な関連性を有しており、両商品の取引者、需要者の相当部分が共通している。 
　したがって、上記の事情に照らせば、本願商標をその指定商品について使用した場合、これに接する取引者、需要者は、本願商標構成中の「ＶＡＬＥＮＴＩＮＯ」の文字部分に強い注意力が注がれ、「ＶＡＬＥＮＴＩＮＯ　ＧＡＲＡＶＡＮＩ」を想起、連想するとともに、同人に係る一連のデザイナーブランドであるかの如く誤認し、或いは、同人と組織的、経済的に何らかの関係にある者の業務に係る商品であるかの如く、商品の出所について混同（広義の混同）を生ずるおそれがあるものといわなければならない。  
　また、請求人は、わが国における登録例を挙げて本願商標登録の正当性について述べているが、審理に当たっては、わが国の既登録例に何ら拘束されることなく客観的証拠に基づき個別具体的に判断するものであり、これをもって上記認定が左右されるものではない。  
３　なお、「ＶＡＬＥＮＴＩＮＯ」の文字をその構成中に有する登録商標に関して、本件と同様に審決又は異議決定をしたものに対する東京高等裁判所、知的財産高等裁判所における行政訴訟事件において、次のとおり判決されているところである。  
（１）平成１４年（行ケ）第２０１号事件(審判番号07-07234　商標登録第2699605号 商標「ＧＩＡＮＮＩ ＶＡＬＥＮＴＩＮＯ」指定商品第19類「台所用品、日用品」)は、平成１５年９月３０日に請求を棄却する旨の判決が言い渡された。  
（２）平成１４年（行ケ）第３５４号事件(審判番号09-20430　商標登録第2614322号 商標「ＧＩＡＮＮＩ ＶＡＬＥＮＴＩＮＯ」指定商品第22類「はき物、かさ、つえ、これらの部品および附属品」)は、平成１５年９月３０日に請求を棄却する旨の判決が言い渡された。  
（３）平成１４年（行ケ）第３７０号事件(審判番号08-20103　商標登録第2357409号 商標「ＲＵＤＯＬＰＨ ＶＡＬＥＮＴＩＮＯ」指定商品第17類「被服(運動用特殊被服を除く)布製身回品(他の類に属するものを除く)寝具類(寝台を除く) 」)は、平成１５年９月２９日に請求を棄却する旨の判決が言い渡された(なお、上告(平成15(行ノ)201、平成15(行サ)第182、平成15(行ツ)333、平成15(行ヒ)353)されたが平成１７年７月１１日に上告棄却。）。（４）平成１４年（行ケ）第４０２号事件(審判番号09-02833　商標登録第2715313号 商標「Ｒｕｄｏｌｐｈ　Ｖａｌｅｎｔｉｎｏ／「Ｖ」図形」指定商品第17類「被服(運動用特殊被服を除く)布製身回品(他の類に属するものを除く)寝具類(寝台を除く) 」)は、平成１５年９月２９日に請求を棄却する旨の判決が言い渡された(なお、上告(平成15(行ノ)202号、平成15(行サ)183、平成15(行ツ)334、平成15(行ヒ)354)されたが平成１７年７月１１日に上告棄却。)。  
（５）平成１４年（行ケ）第４０５号事件(審判番号11-35033　商標登録第2629700号 商標「ｖａｌｅｎｔｉｎｏ ／ｏｒｌａｎｄｉ」指定商品第17類「被服、布製身回品、寝具類」)は、平成１５年６月１９日に請求を棄却する旨の判決が言い渡された。  
（６）平成１４年（行ケ）第４２１号事件(審判番号10-35465　商標登録第2582891号 商標「ｖａｌｅｎｔｉｎｏ ／ｏｒｌａｎｄｉ」指定商品第17類「はき物、かさ、つえ、これらの部品および附属品」)は、平成１５年６月１９日に請求を棄却する旨の判決が言い渡された。  
（７）平成１６年（行ケ）第３３５号事件(異議番号2003-90376　商標登録第4658091号 商標「「ＳとＶ」のモノグラム図形／ＳＩＬＶＩＯ ＶＡＬＥＮＴＩＮＯ」指定商品第3類「せっけん類、薫料、つけづめ、つけまつ毛、歯磨き、靴クリーム、靴墨」)は、平成１７年２月２４日に請求を棄却する旨の判決が言い渡された。  
（８）平成１７年（行ケ）第１０２７０号事件(異議番号平成10-92002号　商標登録第4161151号　商標 「モノグラム図形／ＧＩＯＶＡＮＮＩ　ＶＡＬＥＮＴＩＮＯ」指定商品第25類「被服、ガータ、靴下止め、ズボンツリ、バンド、ベルト、履物、運動用特殊衣服、運動用特殊靴」）は、平成１７年９月２８日に請求を棄却する旨の判決が言い渡された。 
（９）平成１７年（行ケ）第１０４９１号事件(審判番号2002-12122号　商願2001-56565　商標 「図形／ＦＥＭＭＩＯ　ＶＡＬＥＮＴＩＮＯ」指定商品第21類「ガラス基礎製品（建築用のものを除く。）、なべ類、その他」）は、平成１７年１２月２０日に請求を棄却する旨の判決が言い渡された。 
４　以上のとおり、本願商標は、他人の業務に係る商品とその出所について混同を生ずるものというべきであるから、本願商標が商標法第４条第１項第１５号に該当するとして本願を拒絶した原査定は、妥当であって、取り消すことはできない。  
　よって、結論のとおり審決する。